(57)【特許請求の範囲】
【請求項１】
ハンドル支持本体の前部に回転自在に配置されて、遊技者による回転操作がされないときには自身の付勢手段の付勢力により原位置に復帰し、パチンコ遊技を行おうとする遊技者によって前記付勢力に抗した回転操作がなされたときには回転する操作ハンドルを備えたパチンコ遊技機であって、
前記ハンドル支持本体の前端部に配置した操作部と、この操作部が操作されたとき傾動し、前記操作ハンドルを制動する制動部を備えた伝達手段と、を設けて、パチンコ遊技を行おうとする遊技者が前記操作ハンドルを回転操作して適宜位置で停止させようとするとき、前記操作部が当該遊技者によって操作されるようにして、
当該遊技者がパチンコ遊技続行中に前記操作ハンドルに掛けた力を緩めても、前記操作部の操作により前記制動部によって前記操作ハンドルに制動が加えられて、この操作ハンドルが前記付勢手段の付勢力によっては前記原位置に復帰しないようにし、
前記ハンドル支持本体の一部の内側に取付部材を傾動可能に連結するとともに、この取付部材に、前記ハンドル支持本体の一部の外側から、前記操作部を取り付けたことを特徴とするパチンコ遊技機。
【発明の詳細な説明】
【技術分野】
【０００１】
本発明は、パチンコ遊技機に関し、特に、一方向に付勢された操作ハンドルの回転角度に応じて打球強度を調整せしめるパチンコ遊技機に関するものである。
【背景技術】
【０００２】
パチンコ遊技機においては、図１及び図２に示すように、パチンコ球の遊技領域内への打ち込み操作を行う操作ハンドルが設けてあり、遊技者は、この操作ハンドルを操作してパチンコ遊技を楽しむものである。近年の操作ハンドルは、これ自体がタッチスイッチになっていて、遊技者がこれを手で掴むと、パチンコ球の発射可能状態が形成されるようになっているだけでなく、この操作ハンドルの回転量を回転操作量検出装置によって検出し、パチンコ球の打球強度を遊技者が操作ハンドルの回転量を調整することによって行えるようになっている。
【０００３】
また、この操作ハンドルは、遊技者が手を離せば、自動的に、つまりスプリング等によって原位置に復帰するようにしてある。換言すれば、この操作ハンドルを回動させてパチンコ遊技を行うには、遊技者は、スプリング等の付勢力に抗した力を掛けて操作ハンドルを回動させなければならないことは当然として、パチンコ遊技中は、遊技者が選択した打球強度を維持するために、スプリング等の付勢力に抗した力をそのまま掛け続けなければならない。
【０００４】
このように、遊技中に操作ハンドルを所定位置に維持するのは疲れ易いため、例えば特許文献１や特許文献２にて提案されているような種々な機構が採用されてきている。
【先行技術文献】
【特許文献】
【０００５】
【特許文献１】特許第３６５６７２２号掲載公報
【特許文献２】特開２００５−１２５００６号公報
【発明の開示】
【発明が解決しようとする課題】
【０００６】
本発明は、適宜位置まで回転操作した後は操作ハンドルを容易に制動することができ、且つ、耐久性に優れた操作ハンドルを備えたパチンコ遊技機を提供すること等を目的としている。
【課題を解決するための手段】
【０００７】
上記課題を解決するために、請求項１記載の発明は、
ハンドル支持本体の前部に回転自在に配置されて、遊技者による回転操作がされないときには自身の付勢手段の付勢力により原位置に復帰し、パチンコ遊技を行おうとする遊技者によって前記付勢力に抗した回転操作がなされたときには回転する操作ハンドルを備えたパチンコ遊技機であって、
前記ハンドル支持本体の前端部に配置した操作部と、この操作部が操作されたとき傾動し、前記操作ハンドルを制動する制動部を備えた伝達手段と、を設けて、パチンコ遊技を行おうとする遊技者が前記操作ハンドルを回転操作して適宜位置で停止させようとするとき、前記操作部が当該遊技者によって操作されるようにして、
当該遊技者がパチンコ遊技続行中に前記操作ハンドルに掛けた力を緩めても、前記操作部の操作により前記制動部によって前記操作ハンドルに制動が加えられて、この操作ハンドルが前記付勢手段の付勢力によっては前記原位置に復帰しないようにし、
前記ハンドル支持本体の一部の内側に取付部材を傾動可能に連結するとともに、この取付部材に、前記ハンドル支持本体の一部の外側から、前記操作部を取り付けたことを特徴とする。
【発明の効果】
【０００８】
請求項１記載の発明によれば、適宜位置まで回転操作した後は操作ハンドルを容易に制動することができ、且つ、耐久性に優れた操作ハンドルを備えたパチンコ遊技機を提供することができる。
【図面の簡単な説明】
【０００９】
【図１】本発明に係る発射ハンドル装置１００を前面枠２１０の前面に取り付けたパチンコ機２００の正面図である。
【図２】本発明の実施例１に係る発射ハンドル装置１００を示すもので、（ａ）は右側面図、（ｂ）は背面図である。
【図３】同発射ハンドル装置１００の縦断面図である。
【図４】同発射ハンドル装置１００の縦断面図で、連結板１２と固定部材１３ｂとを省略して、スプリング４２を現した断面図ある。
【図５】同発射ハンドル装置１００を分解しながら示すもので、（ａ）は分解前の斜視図、（ｂ）は操作ハンドル３０とハンドルカバー１１とを分解した斜視図、（ｃ）は全体の分解斜視図である。
【図６】同発射ハンドル装置１００のハンドル支持本体１０内をさらに分解した全体の斜視図である。
【図７】同発射ハンドル装置１００を分解しながら、図５とは逆の方向から見た状態を示すもので、（ａ）は分解前の斜視図、（ｂ）は操作ハンドル３０とハンドルカバー１１とを分解した斜視図、（ｃ）は全体の分解斜視図である。
【図８】同発射ハンドル装置１００のハンドル支持本体１０内をさらに分解して、図６とは逆の方向から見た斜視図である。
【図９】図５の（ｃ）とは異なる方向から見た分解斜視図である。
【図１０】図９とは逆の方向から見た分解斜視図である。
【図１１】本発明の実施例２に係る発射ハンドル装置１００を示すもので、（ａ）は正面図、（ｂ）は（ａ）中の１−１線に沿って見た断面図、（ｃ）は（ａ）中の２−２線に沿って見た断面図である。
【図１２】同発射ハンドル装置１００を示すもので、（ａ）は図１１の（ａ）中の３−３線に沿って見た左断面図（ｂ）は図１１の（ａ）中の３−３線に沿って見た右断面図である。
【図１３】同発射ハンドル装置１００を分解しながら示すもので、（ａ）は分解前の斜視図、（ｂ）は操作ハンドル３０とハンドルカバー１１とを分解した斜視図、（ｃ）は全体の分解斜視図である。
【図１４】同発射ハンドル装置１００のハンドル支持本体１０内をさらに分解した全体の斜視図である。
【図１５】図１４とは反対側から見た全体の斜視図である。
【図１６】本発明の実施例３に係る発射ハンドル装置１００を示すもので、（ａ）は正面図、（ｂ）は（ａ）中の４−４線に沿って見た断面図である。
【図１７】同発射ハンドル装置１００を示すもので、（ａ）は図１６の（ａ）中の５−５線に沿って見た左断面図（ｂ）は図１６の（ａ）中の６−６線に沿って見た断面図である。
【図１８】同発射ハンドル装置１００を示すもので、（ａ）は右側面図、（ｂ）は平面図、（ｃ）は底面図である。
【図１９】同発射ハンドル装置１００を分解しながら示すもので、（ａ）は分解前の斜視図、（ｂ）は操作ハンドル３０とハンドルカバー１１とを分解した斜視図、（ｃ）は全体の分解斜視図である。
【図２０】同発射ハンドル装置１００のハンドル支持本体１０内をさらに分解した全体の斜視図である。
【図２１】同発射ハンドル装置１００を分解しながら図１９とは逆の方向から示すもので、（ａ）は分解前の斜視図、（ｂ）は操作ハンドル３０とハンドルカバー１１とを分解した斜視図、（ｃ）は全体の分解斜視図である。
【図２２】同発射ハンドル装置１００のハンドル支持本体１０内をさらに分解した全体の斜視図である。
【図２３】同発射ハンドル装置１００の分解状況を別の方向から見た状態を示すもので、（ａ）は前方からみた分解斜視図、（ｂ）は後方からみた分解斜視図である。
【発明を実施するための形態】
【００１０】
以下、上記課題を解決するための他の手段について課題及び効果を付して説明し、その後に実施の形態を説明する。
【００１１】
上記した特許文献１によれば、「遊技者における手の疲れを防止して快適に遊技を行わしめることが可能な電動パチンコ機の操作ハンドルを提供することができ、硬貨などを挟み込んで無理にハンドルを固定する必要もないため、遊技者によるかかる不正を防止して器具が痛まないようにする効果もある」（文献１の段落００１０及び００１１）ものとなったのであり、また、特許文献２によれば、「遊技の際の操作ハンドルの操作性を向上させること」（要約）ができるものとなったものである。
【００１２】
しかしながら、これらの特許文献１及び２の操作ハンドルでは、内部機構が複雑であるため、操作ハンドルの外形が大きくならざるを得ないと考えられ、女性のように手の小さい人には、持つことそれ自体で疲れてしまうと思われる。また、これらの特許文献１及び２の操作ハンドルでは、そのパチンコ機本体に対する取付構造も複雑になっていると考えられ、パチンコ機全体の製造コストを増大させていると思われる。
【００１３】
また、パチンコ機における操作ハンドルは、上述したように、これ自体がタッチスイッチになっているだけでなく、回転操作量検出装置によってその回転量を検出して、パチンコ球の打球強度を遊技者が操作ハンドルの回転量を調整することによって行えるようになっている。このため、パチンコ遊技をしようとする遊技者は、回転量の調整が済めばさらなる回転操作をする必要はないが、操作ハンドル自体がタッチスイッチであるため、これから手を放す訳にはいかない。
【００１４】
このため、遊技者は、操作ハンドルを適宜位置まで回転操作した後は、操作ハンドルを持ったままの状態を維持しなければならず、しかもこの操作ハンドルを原位置まで復帰させるための付勢手段による付勢力に抗した力を入れ続けなければならない。このことは、遊技者にとって苦痛であり、できれば、適宜位置まで回転操作した後は操作ハンドルに触れているだけにしたいものである。
【００１５】
一方、パチンコ機の操作ハンドルは、パチンコ遊技を行おうとする多数の遊技者が最初に触れる部分であり、打球の強さも調整できるものであるから、耐久性に優れたものになっている必要がある。また、操作ハンドルは、上述したように、例えばコインを挟み込む等、遊技者が最も弄りたくなるものでもあることから、傷が付けられ易い側面もある。そして、操作ハンドルは、パチンコ機の基本部品でしかも機種に拘わらず共通して使用できるものであるから、簡単に製造できるものである必要もある。
【００１６】
そこで、本発明者等は、この種の操作ハンドルについて、適宜位置まで回転操作した後は一部に触れているだけで十分で、耐久性に優れて簡単に製造できるものとするにはどうしたらよいか、について種々検討を重ねてきた結果、本発明を完成したのである。
【００１７】
すなわち、本発明の、第１に目的とするところは、パチンコ遊技をしようとする遊技者が操作ハンドルを適宜位置まで回転操作した後は、その位置での操作ハンドルの制動を一部に軽く手を添えているだけ行うことができ、パチンコ遊技続行中は操作ハンドル固定のために力を入れる必要がなく、しかも手を離すだけで操作ハンドルを原位置に復帰させることができて、操作性のよいパチンコ機のための発射ハンドル装置を提供することにある。
【００１８】
また、本発明の、第２に目的とするところは、耐久性にも優れているだけでなく、容易に製造することができて汎用性にも優れた発射ハンドル装置を提供することにある。
【００１９】
以上の課題を解決するための、第１の手段では、ハンドル支持本体の前部に回転自在に配置されて、遊技者による回転操作がされないときには自身の付勢手段の付勢力により原位置に復帰し、パチンコ遊技を行おうとする遊技者によって前記付勢力に抗した回転操作がなされたときには回転する操作ハンドルを備えたパチンコ遊技機の発射ハンドル装置であって、前記ハンドル支持本体の前端部に配置した操作部と、この操作部が操作されたとき傾動し、前記操作ハンドルの制動を行う制動部を備えた伝達手段とを設けて、パチンコ遊技を行おうとする遊技者が前記操作ハンドルを回転操作して適宜位置で停止させようとするとき、前記操作部が当該遊技者によって操作されるようにしたものである。
【００２０】
この手段１に係る発射ハンドル装置では、その制動部によって、自身の付勢手段の付勢力によって原位置によって復帰しようとする前記操作ハンドルの制動を行うものであり、この制動部は、パチンコ遊技を行おうとする遊技者が前記操作ハンドルを回転操作して適宜位置で停止させようとしたときに、遊技者の意識・無意識に拘わらず操作された前記操作部によって作動させるものである。
【００２１】
前記操作部が遊技者の意識・無意識に拘わらず操作されるのは、この操作部がハンドル支持本体の前端部に配置してあるからである。つまり、当該遊技者が前記操作ハンドルを回転操作して適宜位置で停止させようとするときには、その手の位置を安定させたり身体を休めたりするために、当該発射ハンドル装置の前端部に手を置いたり体重を掛けたりするが、この前端部に操作部が設けてあることによって、当該遊技者は自然に操作部の操作を行うのである。
【００２２】
換言すれば、操作部自体の操作は、遊技を行おうとして操作ハンドルを回転操作する遊技者が意識をしてもしなくても、当該遊技者によって行われるのである。そして、この操作部の操作が前記伝達機構に伝達され、この伝達機構が有する制動部によって適宜位置での操作ハンドルの制動もなされるため、当該発射ハンドル装置自体の操作性は非常によいものとなっている。
【００２３】
以上のように、パチンコ遊技を行おうとする遊技者が前記操作ハンドルを回転操作して適宜位置で停止させようとするとき、前記操作部が遊技者の意識・無意識に拘わらず操作されるのであり、このときには、前記伝達手段が傾動するのである。そして、この伝達手段には前記操作ハンドルの制動を行う制動部が設けてあるから、前記操作ハンドルの制動がなされるのであり、前記操作ハンドルが前記付勢手段の付勢力によっては前記原位置に復帰しなくなるのである。
【００２４】
従って、この手段１の発射ハンドル装置においては、パチンコ遊技を行おうとする遊技者が前記操作ハンドルを回転操作して適宜位置で停止させようとするときに、前記制動部によって操作ハンドルの原位置への復帰に制動が掛けられるから、適宜位置まで回転操作した後に、遊技者は操作ハンドルの固定を行う必要がないだけでなく、力を入れずに手を添えているだけよく、しかも前記操作部が当該遊技者によって遊技者の意識・無意識に拘わらず操作されるようにしてあるから、操作性もよいものになっているのである。
【００２５】
また、上記課題を解決するための手段２は、上記手段１に記載のパチンコ遊技機の発射ハンドル装置について、前記操作部及び伝達手段を、前記ハンドル支持本体の一部に傾動可能に連結するとともに、これらの伝達手段及び操作部を係合させたことである。
【００２６】
前記操作部に前記遊技者によって力が加えられのは、パチンコ遊技を行おうとする遊技者が前記操作ハンドルを回転操作して適宜位置で停止させようとするとき、つまり、当該遊技者が操作ハンドルを持ったままの手や身体を休めたいときであり、そのときには、前記操作部あるいは発射ハンドル装置全体に遊技者によって手や体重によって力が遊技者の意識・無意識に拘わらず加えられる。
【００２７】
以上のように、前記操作部に前記遊技者によって力が加えられたとき、この操作部は傾動するのであるが、この傾動は、枢軸を利用する等して簡単に実施できるから、発射ハンドル装置全体の構造を簡素化することができる。
【００２８】
特に、この傾動方向が例えば下方であると、遊技者がその手あるいは身体を休めるには当該発射ハンドル装置に寄り掛かる場合、つまり持ち上げた手の力を抜いたり体重を掛けたりすることが多いため、これらの下方への力あるいは重力を操作部が自然に受け止めることができるから、操作部の操作は自動的あるいは自然に行えることになる。
【００２９】
そして、傾動した操作部は、伝達手段を介して前記制動部を作動させるのであり、当該遊技者が前記操作ハンドルに掛けた力を緩めても、前記制動部によって前記操作ハンドルに制動が加えられて、この操作ハンドルが前記付勢手段の付勢力によっては前記原位置に復帰しないのである。
【００３０】
従って、この手段２に係る発射ハンドル装置は、上記手段１のそれと同様な機能を発揮する他、操作部を傾動するものとしたことから、より構成を簡素化できるものとなっているのである。
【００３１】
さらに、上記課題を解決するための手段３は、上記手段１に記載のパチンコ遊技機の発射ハンドル装置について、前記ハンドル支持本体の一部の内側に取付部材を傾動可能に連結するとともに、この取付部材に、前記ハンドル支持本体の一部の外側から、前記操作部を取り付けたことである。
【００３２】
この手段３では、前記ハンドル支持本体の一部、つまり操作ハンドルを回動させても動かない部分の内側に、取付部材が傾動可能に連結されるため、この取付部材及びその傾動可能な連結部分は、前記ハンドル支持本体の一部によって保護される状態となり、遊技者による発射ハンドル装置の操作によっては全く影響を受けないものとなっている。
【００３３】
また、この取付部材には、前記ハンドル支持本体の一部の外側から、前記ハンドル支持本体の前端部に配置した前記操作部が取り付けられるのであるから、前記操作部は前記ハンドル支持本体の一部に対して傾動可能となっている。それだけでなく、前記操作部の前記ハンドル支持本体の一部に対する傾動可能な連結部分は、上記したように、前記ハンドル支持本体の一部によって保護される状態となっているため、遊技者による発射ハンドル装置の操作によっては全く影響を受けないものとなっている。
【００３４】
換言すると、前記操作部は前記ハンドル支持本体の前端部に配置されているものであるから、その前記ハンドル支持本体の一部に対して傾動可能に連結されていれば、操作部とハンドル支持本体の前端部との間には傾動のための隙間が存在することになるが、この隙間は、上記取付部材によって簡単に塞ぎ得るのである。この結果、仮に、操作部とハンドル支持本体の前端部との間の隙間から不正行為を行おうとしても、取付部材に阻まれて行えなくなっている。
【００３５】
さらに、この取付部材を存在させたことによって、操作部の、ハンドル支持本体の前端部に対する配置のための連結を、ハンドル支持本体の外部からではなく、ハンドル支持本体の内部から行えるようになっている。つまり、遊技者によって操作されることになる操作部の、ハンドル支持本体の前端部に対する配置のための連結は、これをネジによって行う場合、取付部材がなければハンドル支持本体の前端部の外側から行わなければならないが、当該取付部材が存在することによりハンドル支持本体の内側から行えることになって、ネジを発射ハンドル装置の外部に露出させることがないのである。
【００３６】
従って、この手段３に係る発射ハンドル装置では、上記手段１のそれと同様な機能を発揮する他、周囲にネジなどの固定手段を露出させる必要がないから、故障の原因や不正のきっかけを発射ハンドル装置の外周囲に露出させることはないのである。
【００３７】
そして、上記課題を解決するための手段４は、手段３のパチンコ遊技機の発射ハンドル装置について、その前記取付部材の傾動可能な連結を、前記ハンドル支持本体の前端部に固定的に配置される連結板に対して行うとともに、この連結板に前記伝達手段を傾動可能に連結したことである。
【００３８】
まず、この手段４では、前記ハンドル支持本体の前端部に、連結板を固定的に配置することになるが、この連結板は、前記ハンドル支持本体の前端部に固定的に配置されるものであるから、操作ハンドルの回転操作によっては回転されないものとなる。また、この連結板は、操作部の傾動によっても影響を受けることなく、固定的になっている。
【００３９】
一方、前記ハンドル支持本体の一部の内側に、取付部材が傾動可能に連結してあって、前記ハンドル支持本体の一部の外側から前記取付部材に操作部が取り付けてあったから、操作部は取付部材とともに傾動するものとなっているが、この操作部と一体な取付部材の傾動は、上記連結板には影響を与えない。
【００４０】
以上の結果、前記操作部の傾動が取付部材の傾動に直接的に変換されて、この取付部材や操作部は一体となって連結板に対して傾動することになるから、この連結板側に傾動する何かがあれば、操作部の傾動をこの連結板側の部材に直接的に伝えられる状況が形成されていることになる。
【００４１】
そこで、この手段４では、前記連結板に前記伝達手段を傾動可能に連結したのであるが、これによって、前記操作部の傾動を、この連結板側の伝達手段に直接的に伝えられることになるのである。
【００４２】
また、以上のことを、前記連結板を中心にして見てみると、この連結板に、操作部を一体化した取付部材を傾動自在に組み付けるとともに、この連結板自体に前記伝達手段を傾動可能に連結すれば、当該伝達手段は制動部を備えているのであるから、本発明に係る発射ハンドル装置において重要な部分を、この連結板を中心に一体的に纏めたものとし得ることになる。つまり、この手段４の連結板は、操作部、この操作部を取り付けるための取付部材、そして制動部を備えた伝達手段の全てを一体化した「ユニット」とすることができるのである。
【００４３】
より具体的には、操作部、この操作部を取り付けるための取付部材、そして制動部を備えた伝達手段の全てを一体化した連結板をハンドル支持本体の前端部に取り付けることにより、当該発射ハンドル装置は簡単に構成することができるのであり、ユニット化によって発射ハンドル装置の製造を容易に行えるだけでなく、発射ハンドル装置製造のためのコスト低減をも図ることができるのである。勿論、この種の発射ハンドル装置は、パチンコ遊技の内容が異なった機種に対して、その遊技内容とは関係なく採用できるのであるから、汎用性にも優れたものとなっているのである。
【００４４】
従って、この手段４に係る発射ハンドル装置によれば、上記手段３と同様な機能を発揮することは勿論、重要部品群をユニット化することができて容易に製造し得るだけでなく、汎用性があってコストの低いものとなっているのである。
【００４５】
以上、説明した通り、本発明においては、
「ハンドル支持本体の前部に回転自在に配置されて、遊技者による回転操作がされないときには自身の付勢手段の付勢力により原位置に復帰し、パチンコ遊技を行おうとする遊技者によって前記付勢力に抗した回転操作がなされたときには回転する操作ハンドルを備えたパチンコ遊技機の発射ハンドル装置であって、
前記ハンドル支持本体の前端部に配置した操作部と、この操作部が操作されたとき傾動し、前記操作ハンドルを制動する制動部を備えた伝達手段と、を設けて、パチンコ遊技を行おうとする遊技者が前記操作ハンドルを回転操作して適宜位置で停止させようとするとき、前記操作部が当該遊技者によって操作されるようにして、
当該遊技者がパチンコ遊技続行中に前記操作ハンドルに掛けた力を緩めても、前記操作部の操作により前記制動部によって前記操作ハンドルに制動が加えられて、この操作ハンドルが前記付勢手段の付勢力によっては前記原位置に復帰しないようにしたこと」
にその構成上の主たる特徴があり、これにより、パチンコ遊技をしようとする遊技者が操作ハンドルを適宜位置まで回転操作した後は、その位置での操作ハンドルの制動を一部に軽く手を添えているだけ行うことができ、パチンコ遊技続行中は操作ハンドル固定のために力を入れる必要がなく、しかも手を離すだけで操作ハンドルを原位置に復帰させることができて、操作性のよいパチンコ機のための発射ハンドル装置を提供することができるのである。
【００４６】
また、本発明によれば、耐久性にも優れているだけでなく、容易に製造することができて汎用性にも優れた発射ハンドル装置を提供することができるのである。
【００４７】
次に、上記のように構成した各手段に係る発明を、図面に示した実施の形態に係る発射ハンドル装置１００について説明するが、この実施形態に係る発射ハンドル装置１００については、図２〜図１０に示した実施例１と、図１１〜図１５に示した実施例２と、図１６〜図２３に示した実施例３とがあるため、それぞれ項を分けて説明する。また、これらの実施例を個別に説明する前に、これらの実施例に共通する事項について、先に説明することとする。
【００４８】
まず、図１には、本発明に係る発射ハンドル装置１００が採用されるパチンコ機２００の正面図が示してあるが、このパチンコ機２００の一番外側に現れる面、つまりパチンコ遊技の遊技者が面と向かう前面枠２１０の右下に、本発明に係る発射ハンドル装置１００が取り付けてある。この発射ハンドル装置１００は、遊技者側からみたときには、図１に示したように、正面にハンドルキャップ６０が見え、その周囲に操作ハンドル３０の指掛け３１がハンドルキャップ６０の周囲に突出した状態で見える。
【００４９】
そこで、パチンコ遊技をしようとする遊技者が、ハンドルキャップ６０を包み込むように発射ハンドル装置１００を持つと、各指掛け３１に自然に指が掛かり、操作ハンドル３０の回転操作が行えることになる。
【００５０】
なお、この種の発射ハンドル装置１００には、図１にも示したように、操作ハンドル３０を持った手の親指で操作できる位置にストップボタン３０ａが配置してあり、このストップボタン３０ａを押動すると、タッチスイッチあるいは回転操作量検出器７０からの信号が図示しないパチンコ球の発射装置に届かないようにしてあり、これにより、パチンコ遊技中にパチンコ球の発射が停止できるようになっている。
【００５１】
この発射ハンドル装置１００は、図２（後述する実施例１の場合）、図１１（後述する実施例２の場合）、及び図１６（後述する実施例３の場合）に示したように、前面枠２１０の前面に取り付けられるハンドル支持本体１０を有しているものであり、このハンドル支持本体１０の背面側が、図８、図１５、及び図２１等にて示したように、前面枠２１０の裏側から取り付けられる取付ネジ１７によって前面枠２１０に固定されるのである。
【００５２】
また、このハンドル支持本体１０内には、図８、図１５、及び図２２に示したように、回転操作量検出器７０が組み込まれるものであるが、この回転操作量検出器７０は、操作ハンドル３０の回転量を伝達歯車７１等を介して検出するものであり、図示しないパチンコ球の発射装置における打球強度を、操作ハンドル３０の回転量に応じて決定するものである。なお、図示しないパチンコ球の発射装置は、上記回転操作量検出器７０からの信号と、操作ハンドル３０自体あるいはその近傍に設けた「タッチスイッチ」からの信号とによって、遊技者の好む打球強度でパチンコ球をパチンコ機２００の遊技盤面内に発射し得るようにしたものである。
【００５３】
前面枠２１０に取り付けられたハンドル支持本体１０に対しては、前述した操作ハンドル３０が、図８、図１５、及び図２２に示したように、取付部材２０を介して回転自在に組み付けられており、この取付部材２０上に配置されている付勢スプリング３２（付勢手段）によって、遊技者が当該操作ハンドル３０から手を離せば、常に原位置に復帰し得るようにしてある。
【００５４】
遊技者が操作ハンドル３０の回転操作を行うのは、パチンコ球の打球強度を調整するためである。上述したように、この発射ハンドル装置１００においては、回転操作量検出器７０によって操作ハンドル３０の回転量が検出されていて、この検出量によって発射装置の打球強度が調整されるのであるから、遊技者は操作ハンドル３０を回転させて自らが好む打球強度を探り、適宜位置で当該操作ハンドル３０の回転を停止するのである。ところが、操作ハンドル３０には付勢スプリング３２からの付勢力が常に掛かっているから、この操作ハンドル３０から遊技者が手を離せば操作ハンドル３０は原位置に復帰してしまう。そこで、遊技者は、適宜位置まで操作ハンドル３０を回転させたときには、その位置での保持を行うか、操作ハンドル３０をコイン等によって固定しようとするのである。
【００５５】
なお、この操作ハンドル３０には、図５、図１３、及び図２０に示したように、透孔３３がそれぞれ形成してあり、この透孔３３内には、次に述べるバネ掛け１６や位置決め１５が挿入される。特に、後述する各実施例では、位置決め１５として２本のものが用意されていて、例えば一本目の位置決め１５は原位置を決定するものであり、２本目の位置決め１５についは最大回転位置を決定するものとしてある。
【００５６】
この操作ハンドル３０は、ハンドル支持本体１０の前部にて上記取付部材２０によって回転可能に支持してあるが、その前方は連結板１２によって保護されており、この連結板１２はハンドル支持本体１０に対して取り付けられていて回転しない。すなわち、この連結板１２は、図８、図１５、及び図２２に示したように、その裏面側に突出する２本の位置決め１５及び１本のバネ掛け１６を有するものであり、これらの位置決め１５及びバネ掛け１６に、例えば図１７の（ｂ）に示したように、ハンドル支持本体１０の裏面側から固定ネジ１８が取り付けられることによって、ハンドル支持本体１０の前面側に固定されるものである。このとき、このハンドル支持本体１０と連結板１２との間に、上記操作ハンドル３０が回転可能に組み込まれるのである。
【００５７】
なお、位置決め１５及びバネ掛け１６は、図５、図１３及び図１９に示したように、また前述したように、操作ハンドル３０に形成した穴内に収納されて、操作ハンドル３０の回動範囲を規制することになるものであり、そのいずれかに上述した付勢スプリング３２の一端が係止される。付勢スプリング３２の他端は、一般的には、当該操作ハンドル３０そのものに係止され、その結果、当該操作ハンドル３０への付勢スプリング３２による付勢力、つまり、操作ハンドル３０がハンドル支持本体１０の所定位置に対して常に復帰する力が発生される。
【００５８】
そして、以上の位置決め１５及びバネ掛け１６を形成した連結板１２の外側には、図５、図１３及び図１９等に示したように、ハンドルカバー１１が固定されることになる。以上の結果、ハンドル支持本体１０に対しては、内側の連結板１２とその外側になるハンドルカバー１１が一体化されて回転しないものとなるが、操作ハンドル３０はハンドル支持本体１０と連結板１２との間で回転自在となり、遊技者は付勢スプリング３２の付勢力に抗して当該操作ハンドル３０を回転させることができるものとなっている。勿論、遊技者が操作ハンドル３０から手を離せば、この操作ハンドル３０は付勢スプリング３２の付勢力によって原位置に復帰回転することは前述した通りである。
【実施例１】
【００５９】
図２〜図１０には、本発明の実施例１に係る発射ハンドル装置１００が示してあるが、この発射ハンドル装置１００は、操作ハンドル３０の制動を行う制動部材５０（特許請求の範囲で述べる制動部）と、操作ハンドル３０の近傍に配置した操作部であるハンドルキャップ６０と、このハンドルキャップ６０が操作されたことを制動部材５０に伝達するリンク機構４０（特許請求の範囲で述べる伝達手段）とを設けたものである。なお、この実施例１の発射ハンドル装置１００では、例えば図４に示したように、ハンドル支持本体１０の先端部に連結板１２を連結するとともに、この連結板１２に対して、固定部材１３ａ・１３ｂによって外側のハンドルカバー１１を取り付けるようにしている。
【００６０】
操作部であるハンドルキャップ６０は、パチンコ遊技を行おうとする遊技者が操作ハンドル３０を回転操作して適宜位置で停止させようとするときに、次のようにして、当該遊技者によって操作されるようにしてある。
【００６１】
ハンドルキャップ６０は、図１、図２の（ａ）、図３及び図４に示したように、当該発射ハンドル装置１００の前端部に設けたものであり、そのために、このハンドルキャップ６０は、まず、図５〜図８に示したように、ハンドルカバー１１と連結板１２との間に固定される枢軸部材６２の前面側に一体化されるものとなっている。この枢軸部材６２は、その両側に突出している枢軸６２ａによって、ハンドルカバー１１の内側になる連結板１２の表側面に傾動可能に枢着されることになるものである。換言すれば、このハンドルキャップ６０は、図３及び図４に示したように、枢軸部材６２に対して一体化されるのであり、ハンドルカバー１１に枢着した枢軸部材６２とともに、そのほぼ上端部を中心にハンドルカバー１１、つまりハンドル支持本体１０に対して傾動することになるものである。
【００６２】
以上のように、本実施例１に係るハンドルキャップ６０では、ハンドルカバー１１に対して傾動するようにしているため、ハンドルキャップ６０とハンドルカバー１１との間に空間が必要となるが、この空間からコイン等の挿入が行われる可能性がある。この空間から、無理にコイン等の差し込みがなされると、ハンドルキャップ６０やハンドルカバー１１の損傷や、果ては発射ハンドル装置１００自体の故障に繋がるから、本実施例１の発射ハンドル装置１００では、この空間の塞ぎを、次のように行っている。
【００６３】
まず、本実施例におけるハンドルキャップ６０の上部には、図３及び図４に示したように、突起６３が形成してあり、この突起６３の内側を収納凹所６３ａとしてある。この収納凹所６３ａ内には、当該発射ハンドル装置１００が完全に組み立てられたときに、ハンドルカバー１１の先端部１１ａが挿入されることになるものであり、このハンドルカバー１１の先端部１１ａがハンドルカバー１１とハンドルキャップ６０との間に存在している空間の最外側を塞ぐことになるものである。この先端部１１ａによる塞ぎ状態は、ハンドルキャップ６０が大きく傾動した場合にも維持されるものである。
【００６４】
本実施例１の発射ハンドル装置１００では、以上の空間塞ぎの構造を、操作ハンドル３０の周囲についても行っている。すなわち、図３等に示したように、ハンドル支持本体１０の前部にハンドルガイドを設けるとともに、このハンドルガイドの外周にハンドル案内溝を設けて、このハンドル案内溝内に操作ハンドル３０の内側部分を収納するようにしている。同様に、ハンドルカバー１１の後部にハンドルガイドを設けるとともに、このハンドルガイドの外周にハンドル案内溝を設けて、このハンドル案内溝内に操作ハンドル３０の外側部分を収納するようにしているのである。
【００６５】
さて、ハンドル支持本体１０のハンドルカバー１１の上部に対して傾動可能にしたハンドルキャップ６０の下部には、図３にも示したように、押圧端部６１が一体的に形成してあり、この押圧端部６１は、スプリング４２の一部に対向させてある。スプリング４２は、図６〜図８に示したように、連結板１２の内側に固定されるものであり、本実施例では、２本の弾性力発生部分を備えたものとしてある。そして、この２本の弾性力発生部分の先端には、操作ハンドル３０の内側部分に当接することになる制動部材５０が一体的に形成してある。
【００６６】
要するに、本実施例１では、上記のハンドルキャップ６０が傾動されたことを制動部材５０に伝達する手段として、ハンドルキャップ６０に設けた押圧端部６１と、制動部材５０を一体的に形成したスプリング４２とがリンク機構４０として採用されているのであり、ハンドル支持本体３０の前端部に配置した操作部であるハンドルキャップ６０と、この操作部であるハンドルキャップ６０が操作されたとき傾動し、操作ハンドル３０を制動する制動部（制動部材５０）を備えた伝達手段であるスプリング４２と、を設けたものでもある。
【００６７】
以上のように構成してある結果、パチンコ遊技を行おうとする遊技者が操作ハンドル３０を回転操作して適宜位置で停止させようとして手を休めようとするとき、自然に手が下がって包み込んでいたハンドルキャップ６０の前面を押すことになり、このハンドルキャップ６０が当該遊技者によって操作されることになるのである。
【００６８】
換言すれば、当該遊技者がパチンコ遊技続行中に操作ハンドル３０に掛けた力を緩めても、ハンドルキャップ６０の遊技者による意識しない自然な操作により、制動部材５０が操作ハンドル３０の内周面に当接あるいは圧接されることになるから、付勢スプリング３２の付勢力によって原位置に復帰しようとする操作ハンドル３０に制動が加えられ、この操作ハンドル３０が付勢手段である付勢スプリング３２の付勢力によっては前記原位置に復帰しないのである。
【００６９】
以上のことを別の表現にすれば、当該発射ハンドル装置１００においては、ハンドル支持本体３０の前端部に配置した操作部であるハンドルキャップ６０と、このハンドルキャップ６０が操作されたとき傾動し、操作ハンドル３０を制動する制動部材５０を備えたスプリング４２と、を設けたものであり、パチンコ遊技を行おうとする遊技者が操作ハンドル３０を回転操作して適宜位置で停止させようとするとき、ハンドルキャップ６０が当該遊技者によって遊技者の意識・無意識に拘わらず操作されるようにしたものである。
【実施例２】
【００７０】
図１１〜図１５には、本発明に係る発射ハンドル装置１００の実施例２が示してある。この発射ハンドル装置１００では、特許請求の範囲で述べる伝達手段として、図１１中の点線にて示したリンク板４１を採用しているものであるが、このリンク板４１は、当該発射ハンドル装置１００を構成するハンドル支持本体１０内に組み込まれるものである。そして、このリンク板４１は、図１１の（ｃ）、図１２の（ｂ）、図１４、及び図１５に示したスプリング４２によって、ハンドル支持本体１０内に対する組み込みが傾動可能となるようにされているのであるが、この実施例２で採用しているスプリング４２は、実施例１で採用していたスプリング４２とは異なって単なる巻きバネとしたものである。
【００７１】
このリンク板４１は、操作部が操作されたことを、操作ハンドル３０の制動を行う制動部、つまり、本実施例２では制動部材５０に対して伝達する手段であるリンク機構４０を構成するものである。このリンク機構４０は、上記リンク板４１は勿論、本実施例２においても操作部として採用しているハンドルキャップ６０と、リンク板４１の先端部に設けられて操作ハンドル３０の内側に位置することになる上記制動部材５０とからなるものである。
【００７２】
この実施例２において操作部となるハンドルキャップ６０は、上記した実施例１におけるハンドルキャップ６０と同様であって、図１２の（ｂ）、図１３〜図１５に示したように、当該発射ハンドル装置１００の前端部に設けたものであり、ハンドルカバー１１と連結板１２との間に固定される枢軸部材６２の前面側に一体化されるものとなっている。この枢軸部材６２は、その両側に突出している枢軸６２ａによって、ハンドルカバー１１の内側になる連結板１２の表側面に傾動可能に枢着されることになるものである。換言すれば、このハンドルキャップ６０は、枢軸部材６２に対して一体化されるのであり、ハンドルカバー１１に枢着した枢軸部材６２とともに、そのほぼ上端部を中心にハンドルカバー１１、つまりハンドル支持本体１０に対して傾動することになるものである。
【００７３】
以上の結果、このハンドルキャップ６０は、上述した実施例１の場合の係止部４３同様に、パチンコ遊技を行おうとする遊技者が操作ハンドル３０を回転操作して適宜位置で停止させようとして手を休めようとするとき、自然に手が下がって包み込まれることになるのであり、この包み込んだ手がハンドルキャップ６０の前面を押すことになって、当該遊技者による操作が自然になされることになるのである。
【００７４】
リンク機構４０を構成している前述したリンク板４１は、図１１の（ａ）、図１３の（ｂ）、図１４、及び図１５に示したように、操作ハンドル３０をハンドル支持本体１０に対して支持する取付部材２０の周囲を回り込むような形状にしたものであり、特に図１２の（ｂ）にて示したように、その先端部に設けた左右の支軸４１ａによってハンドル支持本体１０側の係止部４３に傾動可能に係止したものである。
【００７５】
このリンク板４１の先端部（上記係止部４３の近傍に位置する部分）は、図１１の（ｂ）に示したように、操作ハンドル３０の内側に位置するものであり、この先端部自体が、操作ハンドル３０に当接したときに制動を発揮する制動部材５０となっている。そして、このリンク板４１の先端部には、図１２の（ｂ）に示したように、ハンドル支持本体１０側に係止されることになる上述した支軸４１ａが形成してある。
【００７６】
また、このリンク板４１の制動部材５０が形成された先端部は、図１３の（ｂ）及び（ｃ）に示したように、操作ハンドル３０内に組み込まれた際には、２本の位置決め１５内に配置されることになるものであり、当該リンク板４１が傾動されたとき、この先端部自体が２本の位置決め１５によって案内支持されるようにしてある。つまり、このリンク板４１は、操作ハンドル３０を制動する制動部材５０から力を受けたときに、この力の方向に揺動しないように、２本の位置決め１５によって案内されるのである。
【００７７】
一方、このリンク板４１の上記先端部とは反対側になる基端部は、図１１の（ｃ）にて示したように、操作部であるハンドルキャップ６０の押圧端部６１に対向するものとしてあり、この押圧端部６１の反対側に前述したスプリング４２が配置してある。
【００７８】
以上の結果、当該遊技者がパチンコ遊技続行中に操作ハンドル３０に掛けた力を緩めても、ハンドルキャップ６０の遊技者による意識しない自然な操作により、制動部材５０が操作ハンドル３０の内周面に当接あるいは圧接されることになるから、付勢スプリング３２の付勢力によって原位置に復帰しようとする操作ハンドル３０に制動が加えられ、この操作ハンドル３０が付勢手段である付勢スプリング３２の付勢力によっては前記原位置に復帰しないのである。
【実施例３】
【００７９】
図１６〜図２３には、本発明の実施例３に係る発射ハンドル装置１００が示してあるが、この発射ハンドル装置１００では、特許請求の範囲で述べている操作部として採用しているのがハンドルキャップ６０であることは、上述した実施例１及び２と同様である。しかしながら、主として、このハンドルキャップ６０のハンドル支持本体１０に対する連結構造が上述した実施例１及び２とは異なっているものである。
【００８０】
すなわち、この実施例３におけるハンドルキャップ６０は、図１６の（ｂ）にて示したように、ハンドルカバー１１の内側に配置されることになるキャップ取付部材６５の前面に固定されるものとなっていて、このキャップ取付部材６５と共に傾動するものとしてある。キャップ取付部材６５は、図１９〜図２３に示したように、ハンドル支持本体１０の前端部に固定的に連結されるハンドルカバー１１及び連結板１２の間に配置されるものであり、当該キャップ取付部材６５に一体的に形成した枢軸部材６２によって、図１６の（ｂ）及び図２３の（ｂ）に示したように、ハンドルカバー１１の内側に傾動可能に連結されるものである。なお、図１６の（ｂ）では、この枢軸部材６２の枢軸６２ａがハンドルカバー１１の内側であって連結板１２の前部側に位置していることが示されている。
【００８１】
このキャップ取付部材６５は、図１６の（ｂ）に示したように、その下部が前方に少し傾斜した状態で組み込まれるとともに、キャップ取付部材６５を連結板１２に対して傾動可能に枢着する枢軸部材６２は、キャップ取付部材６５の上部に位置させてある。この結果、このキャップ取付部材６５の前面に取り付けられるハンドルキャップ６０も、図１８の（ａ）に示したように、その下部が前方（遊技者側）に少し傾斜した状態で配置されることになる。
【００８２】
本実施例３のハンドルキャップ６０について、その下部が前方に少し傾斜した状態で配置されることは、当該ハンドルキャップ６０の遊技者による自然な操作がより行い易くなっていることを意味する。何故なら、当該パチンコ機２００でのパチンコ遊技を行っている遊技者がパチンコ遊技続行中に操作ハンドル３０に掛けた力を緩めたとすると、手が自然と下がって、この手の平がハンドルキャップ６０の特に下部上面に乗ることになり、手の平の重みによって当該ハンドルキャップ６０の操作が自然になされるようになるからである。
【００８３】
つまり、遊技者がパチンコ遊技続行中に操作ハンドル３０に掛けた力を緩めたときに、ハンドルキャップ６０の下部が前方側に飛び出した上記の状態になっていれば、このハンドルキャップ６０の下部が、遊技者の手の平をそのまま受け取るのであり、当該ハンドルキャップ６０はその操作、つまり連結板１２及びハンドルカバー１１に対する傾動が自然になされるのである。
【００８４】
なお、ハンドルキャップ６０を支持しているキャップ取付部材６５の中央には、例えば図１６の（ｂ）及び図１９に示したように、回避穴が形成してある。この回避穴は、ハンドルキャップ６０の操作によってキャップ取付部材６５が傾動したとき、取付部材２０の先端を回避するためのものである。
【００８５】
ところで、当該ハンドルキャップ６０が連結板１２及びハンドルカバー１１に対して傾動するのであれば、このハンドルキャップ６０とハンドルカバー１１との間に、図１８の（ａ）〜（ｃ）に示したような隙間が必要となり、この隙間からコインの挿入や不正行為がなされ易いことになるのであるが、本実施例３では、次に説明するような上部隙間解消構造及び下部隙間解消構造によって、これらのコインの挿入や不正行為が容易には行えないようになっている。
【００８６】
（上部隙間解消構造）
ハンドルキャップ６０とハンドルカバー１１との上部間にできる隙間は、図１６の（ｂ）に示したようにして解消されている。すなわち、まずハンドルカバー１１の前部に、前方下方への垂下部分を形成しておき、この垂下部分を、ハンドルキャップ６０の上部によって覆うようにしているのである。なお、ハンドルカバー１１の垂下部分の下端は、キャップ取付部材６５の上部を断面が円弧状になっている部分でカバーし、この円弧部分によってキャップ取付部材６５の揺動が円滑に行えるようにしてある。
【００８７】
（下部隙間解消構造）
ハンドルキャップ６０とハンドルカバー１１との下部間にできる隙間は、図１６の（ｂ）に示したようにして解消されている。すなわち、まず、ハンドルカバー１１の下部にハンドル支持本体１０の内側に凹む収納凹所１４を形成しておいて、この収納凹所１４内に、ハンドルキャップ６０側の下端に一体的に形成した収納端部６４が収納できるようにしてある。勿論、収納凹所１４の深さは、ハンドルキャップ６０の傾動に従って揺動することになる収納端部６４の傾動範囲を含む程度のものにしてあり、ハンドルキャップ６０が操作されていない通常時、つまり図１６の（ｂ）に示した状態では、この収納端部６４の先端が僅かに収納凹所１４内に陥入できるようにしてある。
【００８８】
以上の各隙間解消構造によって、当該ハンドルキャップ６０とハンドルカバー１１との間には、コインの挿入は不正行為のための器具の挿入が常に阻止されていて、かつ、ハンドルキャップ６０の自由な傾動も確保されているのである。勿論、このような隙間解消構造は、ハンドルキャップ６０及びハンドルカバー１１を製造するための型の構造をそのようにするだけで簡単に対処できるものである。
【００８９】
さて、ハンドルキャップ６０の傾動とともに傾動するキャップ取付部材６５の下端には、図１６の（ｂ）に示したように、押圧端部６１が形成してあり、この押圧端部６１は、その内側に配置したリンク板４１の図示下端部に当接し得るようにしてあって、リンク機構４０が構成してある。
【００９０】
この実施例３におけるリンク機構４０を構成しているリンク板４１は、実施例２を示した図１４と当該実施例３を示した図２０の比較から容易に理解できるように、上記実施例２におけるリンク板４１と略同じ構造のものである。
【００９１】
リンク機構４０を構成している前述したリンク板４１は、図１６の（ｂ）、及び図１９〜図２２に示したように、操作ハンドル３０をハンドル支持本体１０に対して支持する取付部材２０の周囲を回り込むような形状にしたものであり、特に図１６の（ｂ）及び図２０にて示したように、その先端部に設けた左右の支軸４１ａによってハンドル支持本体１０側の係止部４３に傾動可能に係止したものである。
【００９２】
また、このリンク板４１の制動部材５０が形成された先端部は、図１９の（ｂ）及び（ｃ）から理解できるように、操作ハンドル３０内に組み込まれた際には、２本の位置決め１５内に配置されることになるものであり、当該リンク板４１が傾動されたとき、この先端部自体が２本の位置決め１５によって案内支持されるようにしてある。つまり、このリンク板４１は、操作ハンドル３０を制動する制動部材５０から力を受けたときに、この力の方向に揺動しないように、２本の位置決め１５によって案内されるのである。
【００９３】
なお、この実施例３におけるバネ掛け１６については、図１９の（ｂ）及び（ｃ）に示したように、切り欠き１６ａが形成してある。この切り欠き１６ａを有するバネ掛け１６には、付勢スプリング３２の一端が係止されるのであるが、この切り欠き１６ａが存在することによって、この付勢スプリング３２の係止がより行い易くなっているのである。（図１９のｂでは係止していない）
【００９４】
このリンク板４１の先端部（上記係止部４３の近傍に位置する部分）は、図１６及び図１７の各（ｂ）に示したように、操作ハンドル３０の内側に位置するものであり、この先端部自体が、操作ハンドル３０に当接したときに制動を発揮する制動部材５０となっている。一方、このリンク板４１の上記先端部とは反対側になる基端部は、図１７の（ａ）にて示したように、操作部であるハンドルキャップ６０の押圧端部６１に対向するものとしてあり、この押圧端部６１の反対側にスプリング４２が配置してある。
【００９５】
ところで、本実施例３では、図２１の（ｂ）にて示すように、ハンドル支持本体１０の前端部に取り付けられるハンドルカバー１１に、ハンドルキャップ６０、このハンドルキャップ６０を支持するキャップ取付部材６５、このキャップ取付部材６５を傾動可能に支持する連結板１２、そしてこの連結板１２にスプリング４２によって傾動可能に連結したリンク板４１とを一体化して、一個のユニットとして製造できるようにしてある。このようにユニット化しておくと、このユニット全体を、操作ハンドル３０を組み付けたハンドル支持本体１０の前端部にセットして、ハンドル支持本体１０の背面側から挿入される取付ネジ１７によって固定すれば、当該発射ハンドル装置１００の製造を個別的に単純作業とし得るものとなるのである。
【００９６】
具体的には、例えば図２１の（ｃ）にて示すように、ハンドルカバー１１に対するハンドルキャップ６０及びキャップ取付部材６５の取り付けあるいは組み付けと、連結板１２に対するリンク板４１及びスプリング４２の取り付けあるいは組み付けとを行い、その後にハンドルカバー１１に対する連結板１２の取り付けを行うのである。
【００９７】
以上のような取り付けあるいは組み付けを行うことによって、本発明に係る発射ハンドル装置１００が多数の部品を有した複雑なものであっても、混乱を招くことなく容易に製造することができるのである。
【００９８】
そして、本実施例３に係る発射ハンドル装置１００が以上の構成を有している結果、当該遊技者がパチンコ遊技続行中に操作ハンドル３０に掛けた力を緩めても、ハンドルキャップ６０の遊技者による意識しない自然な操作により、制動部材５０が操作ハンドル３０の内周面に当接あるいは圧接されることになるから、付勢スプリング３２の付勢力によって原位置に復帰しようとする操作ハンドル３０に制動が加えられ、この操作ハンドル３０が付勢手段である付勢スプリング３２の付勢力によっては前記原位置に復帰しないのである。
【符号の説明】
【００９９】
１００    発射ハンドル装置
１０    ハンドル支持本体
１１    ハンドルカバー
１１ａ  先端部
１２    連結板
１３ａ・１３ｂ    固定部材
１４    収納凹所
１５    位置決め
１６    バネ掛け
１７    取付ネジ
１８    固定ネジ
２０    取付部材
３０    操作ハンドル
３０ａ  ストップボタン
３１    指掛け
３２    付勢スプリング（付勢手段）
３３    透孔
４０    リンク機構（伝達手段）
４１    リンク板（伝達手段）
４１ａ  支軸
４２    スプリング
４３    係止部
５０    制動部材（制動部）
６０    ハンドルキャップ
６１    押圧端部
６２    枢軸部材
６２ａ  枢軸
６３    突起
６３ａ  収納凹所
６４    収納端部
６５    キャップ取付部材
７０    回転操作量検出器
７１    伝達歯車
２００    パチンコ機
２１０    前面枠
【図１】
0005626397.tif 000002
【図２】
0005626397.tif 000003
【図３】
0005626397.tif 000004
【図４】
0005626397.tif 000005
【図５】
0005626397.tif 000006
【図６】
0005626397.tif 000007
【図７】
0005626397.tif 000008
【図８】
0005626397.tif 000009
【図９】
0005626397.tif 000010
【図１０】
0005626397.tif 000011
【図１１】
0005626397.tif 000012
【図１２】
0005626397.tif 000013
【図１３】
0005626397.tif 000014
【図１４】
0005626397.tif 000015
【図１５】
0005626397.tif 000016
【図１６】
0005626397.tif 000017
【図１７】
0005626397.tif 000018
【図１８】
0005626397.tif 000019
【図１９】
0005626397.tif 000020
【図２０】
0005626397.tif 000021
【図２１】
0005626397.tif 000022
【図２２】
0005626397.tif 000023
【図２３】
0005626397.tif 000024